(57)【要約】【課題】被収納物を容易に収納できる収納用ホルダを提供する。【解決手段】収納用ホルダ１は、第１表面部４および第２表面部５を有するホルダ本体２を備える。このホルダ本体２は、第１表面部４の第１開口端部１１，１２および第２表面部５の第２開口端部１３，１４にて形成された本体開口部８を有する。また、本体開口部８に対応した仕切り先端部３１，３２を有する仕切り部３を第１表面部４と第２表面部５との間に設ける。仕切り先端部３１，３２は、第２開口端部１３，１４より内側に位置する。仕切り先端部３２に見出し片３４を設ける。見出し片３４は先端部が第２開口端部１４に揃うように配置する。見出し片３４に対応するように第２表面部５の第２開口端部１４に指逃げ切欠部３８を設ける。【選択図】図１
2011143546.tif 000002
【特許請求の範囲】
【請求項１】
第１表面部および第２表面部を有し開口部が形成されたホルダ本体と、このホルダ本体の前記第１表面部および前記第２表面部の間に位置する仕切り部とを具備し、
前記第１表面部は、前記開口部を形成する第１開口端部を有し、
前記第２表面部は、前記開口部を形成する第２開口端部を有し、
前記仕切り部は、前記開口部側に位置し前記第１開口端部および前記第２開口端部に対応する仕切り先端部と、この仕切り先端部から突出した見出し片とを有し、
前記仕切り先端部は、前記第１開口端部および前記第２開口端部の少なくとも一方より内側に位置し、
前記見出し片は、先端部が前記第１開口端部および前記第２開口端部の少なくとも一方に沿って設けられ、
前記第１開口端部および前記第２開口端部の少なくとも一方には、前記見出し片に対応する位置に指逃げ切欠部が設けられた
ことを特徴とする収納用ホルダ。
【請求項２】
第１表面部は、第１開口端部が第２開口端部よりホルダ本体の内側に位置し、前記第１開口端部に見出し片が設けられ、
前記第１表面部および仕切り部の見出し片は、先端部が前記第２開口端部に沿って形成され、
前記第２開口端部は、前記見出し片に対応する位置に指逃げ切欠部が設けられた
ことを特徴とする請求項１記載の収納用ホルダ。
【請求項３】
第１表面部と第２表面部とは厚さが異なり、
第２表面部は、第１表面部より厚いシート体にて形成された
ことを特徴とする請求項１または２記載の収納用ホルダ。
【請求項４】
指逃げ切欠部は、見出し片の略中央部に対応して配置され、前記見出し片より面積が小さい凹弧状に形成された
ことを特徴とする請求項１ないし３のいずれか記載の収納用ホルダ。
【発明の詳細な説明】
【技術分野】
【０００１】
本発明は、例えば、書類、カードおよび小冊子等の被収納物を収納する収納用ホルダに関する。
【背景技術】
【０００２】
従来、この種の収納用ホルダとしては、２つの側面部材と、これら側面部材が接続した底部としての幅広部と、前記２つの側面部材の間に位置し、端部が幅広部に溶着された２つの仕切り部材を有する仕切り部とを備え、一方の側面部材と一方の仕切り部材との間、２つの仕切り部材の間および他方の側面部材と他方の仕切り部材との間に、被収納物が収納される構成のものが知られている（例えば、特許文献１参照。）。
【０００３】
この特許文献１の構成では、２つの仕切り部材の幅方向の長さが、２つの側面部材の幅方向の長さと同一かやや短く、仕切り部材が側面部材より外側へ突出しない。
【０００４】
したがって、仕切り部材をめくる際には、まず側面部材をめくる必要があり、指が他の仕切り部材や側面部材に干渉しめくりにくいので、被収納物を収納する際の作業が煩雑である。
【０００５】
そこで、側面部材および仕切り部に見出し片が設けられ、仕切り部の見出し片が側面部材より外側へ突出した構成のものが知られている（例えば、特許文献２参照。）。
【０００６】
また、側面部材の幅方向の端部に凹状の指逃げ切欠部が設けられた構成のものが知られている（例えば、特許文献３参照。）。
【先行技術文献】
【特許文献】
【０００７】
【特許文献１】実用新案登録第３０７２８３１号公報（第４−７頁、図１）
【特許文献２】意匠登録第１０２４６６５号公報（第１−２頁）
【特許文献３】実開昭６３−９２７８１号公報（第２−３頁、第１図，第２図）
【発明の概要】
【発明が解決しようとする課題】
【０００８】
しかしながら、上述した特許文献２の構成では、一方の側面部材側から仕切り部をめくるのは容易だが、他方の側面部材側からは仕切り部をめくりにくい問題が考えられ、被収納物を容易に収納できない。
【０００９】
また、上述した特許文献３の構成は、側面部材の間に仕切り部が設けられておらず、この構成において、側面部材の間に仕切り部が設けられると、特許文献２の構成と同様に、一方の側面部材側から仕切り部をめくるのは容易だが、他方の側面部材側からは仕切り部をめくりにくい問題が考えられ、被収納物を容易に収納できない。
【００１０】
本発明はこのような点に鑑みなされたもので、被収納物を容易に収納できる収納用ホルダを提供することを目的とする。
【課題を解決するための手段】
【００１１】
本発明は、第１表面部および第２表面部を有し開口部が形成されたホルダ本体と、このホルダ本体の前記第１表面部および前記第２表面部の間に位置する仕切り部とを具備し、前記第１表面部は、前記開口部を形成する第１開口端部を有し、前記第２表面部は、前記開口部を形成する第２開口端部を有し、前記仕切り部は、前記開口部側に位置し前記第１開口端部および前記第２開口端部に対応する仕切り先端部と、この仕切り先端部から突出した見出し片とを有し、前記仕切り先端部は、前記第１開口端部および前記第２開口端部の少なくとも一方より内側に位置し、前記見出し片は、先端部が前記第１開口端部および前記第２開口端部の少なくとも一方に沿って設けられ、前記第１開口端部および前記第２開口端部の少なくとも一方には、前記見出し片に対応する位置に指逃げ切欠部が設けられたものである。
【発明の効果】
【００１２】
本発明によれば、仕切り部に見出し片が設けられ、第１開口端部および第２開口端部の少なくとも一方には、見出し片に対応する位置に指逃げ切欠部が設けられたことにより、見出し片に指を引っ掛ける際に使用者の指が第１表面部または第２表面部に干渉しにくく、仕切り部をめくりやすいので、被収納物を容易に収納できる。
【図面の簡単な説明】
【００１３】
【図１】本発明の収納用ホルダにおける一実施の形態を示す一部を省略した斜視図である。
【図２】同上収納用ホルダにおける平面図である。
【発明を実施するための形態】
【００１４】
以下、本発明の第１の実施の形態の構成について図１および図２を参照しながら詳細に説明する。
【００１５】
図１および図２において、１は収納用ホルダであり、この収納用ホルダ１は、平面視で略矩形状のホルダ本体２と、ホルダ本体２に収容され、平面視でホルダ本体２と同様の略矩形状の仕切り部３とを備えている。
【００１６】
ホルダ本体２は、例えばポリプロピレンなどの合成樹脂や紙などにて形成された略矩形状の第１表面部４および第２表面部５を有している。これら第１表面部４と第２表面部５とは異なる厚さのシート体にて形成されており、第２表面部５は、第１表面部４より厚く硬いシート体にて形成されている。なお、第１表面部４は、例えば厚さ０．３〜０．４ｍｍで、好ましくは０．３７ｍｍであり、被収納物を出し入れする際にめくりやすい硬さである。また、第２表面部５は、例えば厚さ０．９〜１．０ｍｍで、より好ましくは０．９ｍｍであり、第２表面部５上に紙等を載せて筆記する際に紙を保持でき筆記しやすい硬さである。
【００１７】
ホルダ本体２は、第１表面部４の長手方向の一端部である辺４ａと第２表面部５の長手方向の一端部である辺５ａとが接続されて本体底部６が形成され、この本体底部６に接する第１表面部４の幅方向の一端部である辺４ｂと第２表面部５の幅方向の一端部である辺５ｂとが接続されて本体背部７が形成されている。
【００１８】
さらに、ホルダ本体２は、本体底部６に対向する方向および本体背部７に対向する方向の２方向へ向かって開口された開口部としての本体開口部８が設けられている。
【００１９】
この本体開口部８は、第１表面部４における本体底部６に対向する長手方向の他端部である辺４ｃにて構成された第１開口端部１１および本体背部７に対向する幅方向の他端部である辺４ｄにて構成された第１開口端部１２と、第２表面部５における本体底部６に対向する長手方向の他端部である５ｃにて構成された第２開口端部１３および本体背部７に対向する幅方向の他端部である辺５ｄにて構成された第２開口端部１４とを有している。
【００２０】
また、ホルダ本体２は、第１表面部４および第２表面部５の幅方向の他端部における本体底部６側に、辺４ｄの一部と辺５ｄの一部とが接続されて保持部１５が形成されている。
【００２１】
したがって、ホルダ本体２は、本体底部６、本体背部７および保持部１５にて、第１表面部４と第２表面部５とが接続されて閉塞され、第１開口端部１１，１２および第２開口端部１３，１４が接続されず本体開口部８が開口している。
【００２２】
仕切り部３は、４つの仕切り部材３ａ，３ｂ，３ｃ，３ｄを有し、４つの仕切り部材３ａ，３ｂ，３ｃ，３ｄは、第１表面部４と第２表面部５との間に位置し、第１表面部４側から第２表面部５側へ順次設けられている。
【００２３】
また、仕切り部３内には仕切り部材３ａ，３ｂ，３ｃ，３ｄにより内側収納部２２が形成され、仕切り部３および内側収納部２２にて内部ポケット１０を形成している。
【００２４】
内部ポケット１０は、本体底部６に対応したポケット底部１６、本体背部７に対応したポケット背部１７、および本体開口部８に対応し２方向に開口したポケット開口部１８を有している。
【００２５】
内側収納部２２は、第１収納部２３、第２収納部２４および第３収納部２５を有し、第１収納部２３は仕切り部材３ａと仕切り部材３ｂとにより仕切られ、第２収納部２４は仕切り部材３ｂと仕切り部材３ｃとにより仕切られ、第３収納部２５は仕切り部材３ｃと仕切り部材３ｄとにより仕切られている。
【００２６】
このような内部ポケット１０は、第１表面部４および第２表面部５と同様の略矩形状の仕切り部材３ａ，３ｂ，３ｃ，３ｄが一体に設けられた例えばポリプロピレンなどの合成樹脂製の１枚のシート体が折り曲げられて形成されている。
【００２７】
内部ポケット１０を形成するシート体の厚さは、約０．２ｍｍであり、第１表面部４、第２表面部５、仕切り部材３ａ，３ｂ，３ｃ，３ｄの厚さは、第２表面部５＞第１表面部４＞仕切り部材３ａ，３ｂ，３ｃ，３ｄとなっている。
【００２８】
そして、内部ポケット１０は、ポケット背部１７がホルダ本体２の本体背部７に溶着されることによりホルダ本体２に固定されて取り付けられている。
【００２９】
ホルダ本体２に内部ポケット１０が取り付けられたことにより、ホルダ本体２の内側面と内部ポケット１０との間、すなわち第１表面部４と仕切り部材３ａとの間、および第２表面部５と仕切り部材３ｄとの間に外側収納部２６が形成されている。
【００３０】
仕切り部材３ａ，３ｂ，３ｃ，３ｄは、本体開口部８側であるポケット底部１６とは反対側に位置する端部にて構成される仕切り先端部３１と、本体開口部８側であるポケット背部１７とは反対側に位置する端部にて構成される仕切り先端部３２とを有している。すなわち、仕切り先端部３１は第１開口端部１１および第２開口端部１３に対応して配置され、仕切り先端部３２は第１開口端部１２および第２開口端部１４に対応して配置されている。
【００３１】
ここで、仕切り部材３ａ，３ｂ，３ｃ，３ｄは、幅方向の長さおよび長手方向の長さが第２表面部５より短く、仕切り先端部３１は第２開口端部１３より内側すなわち本体底部６側に位置し、仕切り先端部３２は第２開口端部１４より内側すなわち本体背部７側に位置している。
【００３２】
仕切り部材３ａ，３ｂ，３ｃ，３ｄの各仕切り先端部３１のポケット背部１７側の部分には、仕切り先端部３１から突出した略矩形状の見出し片３３が一体に設けられ、この見出し片３３は、先端部が第２開口端部１３に沿って設けられている。すなわち、見出し片３３の先端部が第２開口端部１３に揃うように配置されている。
【００３３】
さらに、仕切り部材３ａ，３ｂ，３ｃ，３ｄの各仕切り先端部３２には、仕切り先端部３２から突出した略矩形状の見出し片３４が一体に設けられ、見出し片３４は、先端部が第２開口端部１４に沿って設けられている。すなわち、見出し片３４の先端部が第２開口端部１４に揃うように配置されている。
【００３４】
ここで、第１表面部４は、幅方向の長さおよび長手方向の長さが第２表面部５の幅方向の長さおよび長手方向の長さよりやや短く形成され、第１開口端部１１は第２開口端部１３より内側すなわち本体底部６側に位置し、第１開口端部１２は第２開口端部１４より内側すなわち本体背部７側に位置しており、また、第１開口端部１１と仕切り先端部３１とが揃うように配置され、第１開口端部１２と仕切り先端部３２とが揃うように形成されている。したがって、見出し片３４は、第１開口端部１２より外側に突出している。
【００３５】
第１開口端部１１における本体背部７側には、第１開口端部１１から突出した略矩形状の見出し片３５が一体に設けられ、この見出し片３５は、先端部が第２開口端部１３に沿って設けられている。すなわち、見出し片３５の先端部が第２開口端部１３に揃うように配置されている。
【００３６】
また、第１開口端部１２における第１開口端部１１側には、第１開口端部１２から突出した略矩形状の見出し片３６が一体に設けられ、この見出し片３６は、先端部が第２開口端部１４に沿って設けられている。すなわち、見出し片３６の先端部が第２開口端部１４に揃うように配置されている。
【００３７】
第２表面部５は、第２開口端部１３における本体背部７側であり、見出し片３３，３５に対応する位置に、第２開口端部１３から凹弧状に切り欠かれた指逃げ切欠部３７が設けられている。
【００３８】
また、第２表面部５は、第２開口端部１４において各見出し片３４および見出し片３６のそれぞれに対応する位置に、第２開口端部１４から凹弧状に切り欠かれた指逃げ切欠部３８，３９が設けられている。
【００３９】
指逃げ切欠部３７，３８，３９は、見出し片３３，３４，３５，３６の略中央部に対応して配置されている。また、指逃げ切欠部３７，３８，３９の凹弧状に切り欠かれた面積は、見出し片３３，３４，３５，３６より小さく、例えば見出し片３３，３４，３５，３６の面積の半分以下の面積である。
【００４０】
次に、上記第１の実施の形態の作用を説明する。
【００４１】
収納用ホルダ１に被収納物を収納する際には、見出し片３３、見出し片３４、見出し片３５および見出し片３６のうちのいずれかに指を引っ掛けるようにして本体開口部８やポケット開口部１８を開口し内側収納部２２または外側収納部２６を開放して、被収納物を挿入するように収納する。
【００４２】
ここで、内側収納部２２の第１収納部２３に被収納物を収納する場合は、第１表面部４側から仕切り部材３ａの見出し片３４に指を引っ掛けて仕切り部材３ａをめくるか、または、第２表面部５側から仕切り部材３ｂの見出し片３４に指を引っ掛けて仕切り部材３ａをめくり、仕切り部材３ａと仕切り部材３ｂとを離間させて第１収納部２３を開放する。
【００４３】
内側収納部２２の第２収納部２４に被収納物を収納する場合は、第１表面部４側から仕切り部材３ｂの見出し片３４に指を引っ掛けて仕切り部材３ｂをめくるか、または、第２表面部５側から仕切り部材３ｃの見出し片３４に指を引っ掛けて仕切り部材３ｃをめくり、仕切り部材３ｂと仕切り部材３ｃとを離間させて第２収納部２４を開放する。
【００４４】
内側収納部２２の第３収納部２５に被収納物を収納する場合は、第１表面部４側から仕切り部材３ｃの見出し片３４に指を引っ掛けて仕切り部材３ｄをめくるか、または、第２表面部５側から仕切り部材３ｄの見出し片３４に指を引っ掛けて仕切り部材３ｄをめくり、仕切り部材３ｃと仕切り部材３ｄと離間させて第３収納部２５を開放する。
【００４５】
第１表面部４側の外側収納部２６に被収納物を収納する場合は、第１表面部４側から第１表面部４の見出し片３６に指を引っ掛けて第１表面部４をめくるか、または、第２表面部５側から仕切り部材３ａの見出し片３４に指を引っ掛けて仕切り部材３ａをめくり、第１表面部４と仕切り部材３ａとを離間させて外側収納部２６を開放する。
【００４６】
第２表面部５側の外側収納部２６に被収納物を収納する場合は、第１表面部４側から仕切り部材３ｄの見出し片３４に指を引っ掛けて仕切り部材３ｄをめくり、仕切り部材３ｄと第２表面部５とを離間させて外側収納部２６を開放する。
【００４７】
そして、このような収納用ホルダ１によれば、各仕切り部材３ａ，３ｂ，３ｃ，３ｄの仕切り先端部３２に見出し片３４が設けられ、第２開口端部１４における見出し片３４に対応する位置に指逃げ切欠部３８が設けられたことにより、見出し片３４に指を引っ掛ける際に使用者の指が第２表面部５に干渉しにくい。したがって、各仕切り部材３ａ，３ｂ，３ｃ，３ｄがめくりやすく、内側収納部２２または外側収納部２６を開放しやすいので、被収納物を容易に収納できる。
【００４８】
また、第１表面部４の第１開口端部１２が第２開口端部１４より内側に位置し、見出し片３４が第１開口端部１２より外側に突出することにより、第１表面部４側からも第２表面部５側から見出し片３４に指を引っ掛けやすく、内側収納部２２または外側収納部２６をより開放しやすいので、被収納物を容易に収納できる。
【００４９】
さらに、第１開口端部１２に見出し片３６が設けられ、第２開口端部１４に指逃げ切欠部３９が設けられたことにより、第１表面部４をめくりやすく、外側収納部２６を開放しやすいので、被収納物を容易に収納できる。
【００５０】
また、第１開口端部１１に見出し片３５が設けられ、仕切り先端部３１に見出し片３３が設けられ、第１開口端部１２に指逃げ切欠部３７が設けられたことにより、ホルダ本体２の長手方向側からも内側収納部２２および外側収納部２６を開放しやすいので、被収納物を容易に収納できる。
【００５１】
第１表面部４と第２表面部５とは厚さが異なり、第２表面部５は第１表面部４より厚いシート体にて形成されたことにより、外側収納部２６に被収納物を収納する際に第１表面部４をめくりやすいとともに、第１表面部４より厚い第２表面部５によりホルダ本体２の強度を向上でき被収納物の保持性を向上できる。
【００５２】
第１表面部４は、ポリプロピレン製の厚さ０．３〜０．４ｍｍのシート体にて形成されることにより、被収納物を収納する際にめくりやすい。また、第２表面部５は、ポリプロピレン製の厚さ０．９〜１．０ｍｍのシート体にて形成されることにより、強度を十分に確保できるとともに第２表面部５上に紙を載せて筆記しやすい。さらに、仕切り部材３ａ，３ｂ，３ｃ，３ｄは、ポリプロピレン製の厚さ０．２ｍｍのシート体にて形成されることにより、被収納物を収納する際にめくりやすい。
【００５３】
ここで、通常、見出し片３３，３４，３５，３６は、第１開口端部１１，１２または仕切り先端部３１，３２から突出しているので、本体開口部８へ外力により影響を受けやすく、変形や破損しやすいが、見出し片３３，３４，３５，３６の先端部が第２開口端部１３，１４に揃うように配置されると、本体開口部８への外力が見出し片３３，３４，３５，３６および第２表面部５に同時に作用することになり、第２表面部５によって見出し片３３，３４，３５，３６の変形や破損を防止できる。特に、第２表面部５を第１表面部４や仕切り部材３ａ，３ｂ，３ｃ，３ｄより厚いシート体にて形成することにより見出し片３３，３４，３５，３６の変形や破損を防止できる。
【００５４】
しかしながら、見出し片３３，３４，３５，３６の先端部が第２開口端部１３，１４に揃っていると、被収納物を収納する際に第１表面部４側から見出し片３３，３４，３５，３６のいずれかに指を引っ掛けようとすると、指が第２表面部５に干渉しやすくなり、第１表面部４や仕切り部材３ａ，３ｂ，３ｃ，３ｄをめくりにくくなってしまう。
【００５５】
そこで、第２開口端部１３，１４に指逃げ切欠部３７，３８，３９が設けられたことにより、見出し片３３，３４，３５，３６に指を引っ掛ける際に指が第２表面部５に干渉しにくくできるので、第１表面部４側および第２表面部５側のいずれからも第１表面部４や仕切り部材３ａ，３ｂ，３ｃ，３ｄをめくりやすいとともに、第２表面部５を第１表面部４や仕切り部材３ａ，３ｂ，３ｃ，３ｄより厚いシート体にて形成して、ホルダ本体２の強度を向上できるので、見出し片３３，３４，３５，３６の変形や破損を防止できる。
【００５６】
指逃げ切欠部３７，３８，３９は、見出し片３３，３４，３５，３６の略中央部に対応して配置されたことにより、見出し片３３，３４，３５，３６に指を引っ掛ける際に指が第２表面部５に干渉しにくいので、見出し片３３，３４，３５，３６を使用しやすくできる。
【００５７】
指逃げ切欠部３７，３８，３９は、対応する見出し片３３，３４，３５，３６の面積より小さく切り欠かれることにより、第２表面部５にて見出し片３３，３４，３５，３６の変形や破損を防止しやすい。特に、指逃げ切欠部３７，３８，３９の切り欠かれた面積が、対応する見出し片３３，３４，３５，３６の半分以下であると、第２表面部５にて見出し片３３，３４，３５，３６の変形や破損を防止をより確実に防止できる。
【００５８】
ホルダ本体２は、保持部１５が設けられたことにより、収納用ホルダ１に被収納物を収納して持ち運ぶ際などに、ホルダ本体２から被収納物が飛び出してしまうことを防止できる。
【００５９】
なお、上記第１の実施の形態において、収納用ホルダ１は、仕切り部３と内側収納部２２とにより内部ポケット１０が形成された構成としたが、このような構成には限定されず、第１表面部４と第２表面部５との間に仕切り部３が設けられた構成であればよく、例えば、内側収納部２２が形成されず、内部ポケット１０が設けられていない構成などにしてもよい。
【００６０】
また、内部ポケット１０が設けられた構成にする場合は、内部ポケット１０が１枚のシート体にて形成された構成には限定されず、複数のシート体を接合して内部ポケット１０を形成してもよい
ホルダ本体２は、第１開口端部１１，１２が第２開口端部１３，１４より内側に位置する構成としたが、このような構成には限定されず、例えば、第２開口端部１３，１４が第１開口端部１１，１２より内側に位置する構成や、第１開口端部１１，１２と第２開口端部１３，１４とが揃うように配置される構成などにしてもよい。
【００６１】
仕切り先端部３１，３２は、第２開口端部１３，１４より内側に位置する構成には限定されず、第１開口端部１１，１２および第２開口端部１３，１４のうち少なくとも一方より内側に位置していればよい。
【００６２】
見出し片３４，３５，３６は、先端部が第２開口端部１３，１４に沿って設けられた構成には限定されず、第１開口端部１１，１２および第２開口端部１３，１４のうち少なくとも一方に沿って設けられていればよい。
【００６３】
指逃げ切欠部３７，３８，３９は、第２開口端部１３，１４に設けられた構成には限定されず、第１開口端部１１，１２および第２開口端部１３，１４のうち少なくとも一方に設けられていればよい。
【００６４】
したがって、例えば、第１表面部４と第２表面部５とが同様の大きさであり、第１開口端部１１，１２と第２開口端部１３，１４とが揃うように配置され、見出し片３３，３４，３５，３６の先端部が第１開口端部１１，１２と第２開口端部１３，１４に沿って配置され、第１開口端部１１，１２および第２開口端部１３，１４に指逃げ切欠部３７，３８，３９が設けられた構成や、第２開口端部１３，１４が第１開口端部１１，１２より内側に位置し、見出し片３３，３４，３５，３６の先端部が第１開口端部１１，１２に沿って配置され、第１開口端部１１，１２に指逃げ切欠部３７，３８，３９が設けられた構成などにしてもよい。
【００６５】
仕切り部３は、仕切り部材３ａ，３ｂ，３ｃ，３ｄが設けられた構成としたが、このような構成には限定されず、仕切り部３における仕切り部材の数は適宜設定できる。
【００６６】
ホルダ本体２は、本体開口部８が２方向に開口された構成としたが、このような構成は限定されず、本体開口部８の開口方向は適宜設定でき、また、開口方向の数も適宜設定できる。
【００６７】
また、ホルダ本体２は、第２表面部５が第１表面部４より厚いシート体にて形成された構成としたが、このような構成には限定されず、第１表面部４および第２表面部５の厚さは適宜設定でき、例えば、第１表面部４が第２表面部５より厚い構成や、第１表面部４と第２表面部５との厚さが同じである構成にしてもよい。
【００６８】
第１表面部４の第１開口端部１１に見出し片３３が設けられ、第１開口端部１２に見出し片３６が設けられた構成としたが、このような構成には限定されず、見出し片３３，３６が設けられていない構成にしてもよい。この構成の場合は、指逃げ切欠部３７，３９を設けなくてもよい。
【００６９】
見出し片３３，３４，３５，３６は、第１表面部４および仕切り部材３ａ，３ｂ，３ｃ，３ｄに一体に設けられた構成にしたが、このような構成には限定されず、別部材にて形成してもよい。
【００７０】
仕切り部３は、仕切り先端部３１，３２に見出し片３４，３５が設けられた構成としたが、このような構成には限定されず、仕切り先端部３１にのみ見出し片３５が設けられた構成、または、仕切り先端部３２にのみ見出し片３４が設けられた構成などにしてもよい。
【００７１】
指逃げ切欠部３７，３８，３９は、対応する見出し片３３，３４，３５，３６の略中央部に設けられた構成としたが、このような構成には限定されず、見出し片３３，３４，３５，３６に対応していればよい。
【００７２】
また、指逃げ切欠部３７，３８，３９は、凹弧状に切り欠かれ、切り欠かれた部分の面積が見出し片３３，３４，３５，３６の面積より小さい構成としたが、このような構成には限定されず、指逃げ切欠部３７，３８，３９の形状および大きさは適宜設定できる。
【符号の説明】
【００７３】
１    収納用ホルダ
２    ホルダ本体
３    仕切り部
４    第１表面部
５    第２表面部
８    開口部としての本体開口部
１１  第１開口端部
１２  第１開口端部
１３  第２開口端部
１４  第２開口端部
３１  仕切り先端部
３２  仕切り先端部
３３  見出し片
３４  見出し片
３５  見出し片
３６  見出し片
３７  指逃げ切欠部
３８  指逃げ切欠部
３９  指逃げ切欠部
【図１】
2011143546.tif 000003
【図２】
2011143546.tif 000004